(57)【要約】【課題】製造労力を軽減させることができ、動物に対して頭部用穴に向けて頭部をスムーズに露出させることが可能であり、しかも動物の収容容易性に優れた動物洗浄装置を提供する。【解決手段】内壁１１と外壁１２を円弧状に湾曲させた略ドーム型で底面が開口されてなり、洗浄すべき動物を上から被包することによりこれを収容可能な洗浄容器２と、給水管を介して供給されてきた洗浄水を内壁１１と外壁１２の間隙へ送り込む送水手段とを備え、洗浄容器２における内壁１１には洗浄水を噴出させるための噴出孔１３が多数形成されてなるとともに、洗浄容器２の前面には動物の頭部を外部に露出させるための頭部用穴が１４開口され、洗浄容器２の両側面には外部から洗浄者が手を挿入するための挿入穴１５が開口されてなる。【選択図】図１
2007319018.tif 000002
【特許請求の範囲】
【請求項１】
動物を収容して洗浄を行うための動物洗浄装置において、
底面が開口されてなり、洗浄すべき動物を上から被包することによりこれを収容可能な洗浄容器と、
給水管を介して供給されてきた洗浄水を上記内壁と外壁の間隙へ送り込む送水手段とを備え、
上記洗浄容器における内壁には洗浄水を噴出させるための噴出孔が多数形成されてなるとともに、上記洗浄容器の前面には動物の頭部を外部に露出させるための頭部用穴が開口され、上記洗浄容器の両側面には外部から洗浄者が手を挿入するための挿入穴が開口されてなり、さらに上記洗浄容器の後方から前方にかけて互いに間隔をおいてスペーサ用の長孔が形成され、
洗浄すべき動物の大きさに応じた上記スペーサ用の長孔位置に板状のスペーサを挿入することにより、上記頭部用穴へ頭部を露出させた動物が後退するのを防止可能とされていること
を特徴とする動物洗浄装置。
【請求項２】
上記頭部用穴は、底面の開口部へ連結していること
を特徴とする請求項１記載の動物洗浄装置。
【請求項３】
動物を収容して洗浄を行うための動物洗浄装置において、
底面が開口されてなり、洗浄すべき動物を上から被包することによりこれを収容可能な洗浄容器と、
給水管を介して供給されてきた洗浄水を上記内壁と外壁の間隙へ送り込む送水手段とを備え、
上記洗浄容器における内壁には洗浄水を噴出させるための噴出孔が多数形成されてなるとともに、上記洗浄容器の前面には動物の頭部を外部に露出させるための頭部用穴が開口され、上記洗浄容器の両側面には外部から洗浄者が手を挿入するための挿入穴が開口されてなり、
上記頭部用穴は、底面の開口部へ連結しているとともに、洗浄すべき動物の首を遊嵌可能なサイズに応じた曲率並びに内径とすることにより、動物の身震い動作を抑制可能とされていること
を特徴とする動物洗浄装置。
【請求項４】
上記洗浄容器における底面に装着自在の床体をさらに備え、
上記床体は、水を透過させるための小孔が多数に亘り形成されてなること
を特徴とする請求項１〜３のうち何れか１項記載の動物洗浄装置。
【発明の詳細な説明】
【技術分野】
【０００１】
本発明は、主として犬等の動物を収容して洗浄するための動物洗浄装置に関するものである。
【背景技術】
【０００２】
従来、犬等の動物を洗浄する場合には、比較的大きめの桶の中に水又は湯を入れ、動物をその桶の中に入れて洗剤を付け、泡立てながら飼い主が手で洗うのが通常であった。しかしながら、このような従来の方法では、例えば動物が身震いしたときに、その動物の毛やホコリ、水、洗剤等が周囲に飛び散り、飼い主や周囲の床が汚染されてしまうという問題点があった。また、浴室において動物の洗浄を行う際においても、動物が洗浄中において身震いした場合には、水や洗剤等が浴室の天井や壁等に飛び散ってしまう。加えて、動き回る動物を押さえながら洗浄作業を行うのは多大な労力を要し、ペットクリーニングの業者に依頼するにしても費用が高額となってしまう。
【０００３】
このような問題点を解消するために、従来においては、特許文献１に示すような動物洗浄器具が提案されている。この動物洗浄器具においては、動物を収容する浴槽の周囲に囲い部材を設け、さらに動物出入用の開閉手段に加え、内部にシャワーを備えている。この動物洗浄器具内に動物を収容してシャワーを浴びせた場合に、動物が身震いした場合においても水やホコリ等が周囲に飛び散るのを防止することができる。この特許文献１と類似する動物用の洗浄器具としては、他に特許文献２〜４が提案されている。
【特許文献１】特開平９−２６６９２０号公報
【特許文献２】特開平７−２７４７５８号公報
【特許文献３】特開２００３−４７３５７号公報
【特許文献４】特開２００４−２９８１１７号公報
【発明の開示】
【発明が解決しようとする課題】
【０００４】
しかしながら、上述した特許文献１−４の開示技術は、いずれも装置構成が複雑であり、製造労力が過大になり、製造コストの低減を図ることができないという問題点があった。
【０００５】
また、特に特許文献１の開示技術では、動物の頭部に洗浄水をかけないようにするために、動物の頭部を外部に露出させるための頭部用穴が形成されている。しかしながら、洗浄時において動物が頭部を頭部用穴から引っ込めてしまう場合もあり、動物の頭部を頭部用穴へ露出させる作業を強いることになり、円滑な洗浄作業を行うことができないこともあった。
【０００６】
また、動物を洗浄装置内に収容する際に、動物が躊躇してなかなか内部へ収容できない場合もあり、これに伴う洗浄者の労力負担が増大してしまうという問題点もあった。
【０００７】
そこで本発明は、上述した問題点に鑑みて案出されたものであり、その目的とするところは、製造労力を軽減させることができ、洗浄時において、動物が頭部を頭部用穴から引っ込めてしまうのを防止することができ、しかも動物の収容容易性に優れた動物洗浄装置を提供することにある。
【課題を解決するための手段】
【０００８】
本発明を適用した動物洗浄装置は、上述した課題を解決するために、動物を収容して洗浄を行うための動物洗浄装置において、底面が開口されてなり、洗浄すべき動物を上から被包することによりこれを収容可能な洗浄容器と、給水管を介して供給されてきた洗浄水を上記内壁と外壁の間隙へ送り込む送水手段とを備え、上記洗浄容器における内壁には洗浄水を噴出させるための噴出孔が多数形成されてなるとともに、上記洗浄容器の前面には動物の頭部を外部に露出させるための頭部用穴が開口され、上記洗浄容器の両側面には外部から洗浄者が手を挿入するための挿入穴が開口されてなり、さらに上記洗浄容器の後方から前方にかけて互いに間隔をおいてスペーサ用の長孔が形成され、洗浄すべき動物の大きさに応じた上記スペーサ用の長孔位置に板状のスペーサを挿入することにより、上記頭部用穴へ頭部を露出させた動物が後退するのを防止可能とされていることを特徴とする。
【０００９】
また、本発明を適用した動物洗浄装置は、上述した課題を解決するために、動物を収容して洗浄を行うための動物洗浄装置において、底面が開口されてなり、洗浄すべき動物を上から被包することによりこれを収容可能な洗浄容器と、給水管を介して供給されてきた洗浄水を上記内壁と外壁の間隙へ送り込む送水手段とを備え、上記洗浄容器における内壁には洗浄水を噴出させるための噴出孔が多数形成されてなるとともに、上記洗浄容器の前面には動物の頭部を外部に露出させるための頭部用穴が開口され、上記洗浄容器の両側面には外部から洗浄者が手を挿入するための挿入穴が開口されてなり、上記頭部用穴は、底面の開口部へ連結しているとともに、洗浄すべき動物の首を遊嵌可能なサイズに応じた曲率並びに内径とすることにより、動物の身震い動作を抑制可能とされていることを特徴とする。
【発明の効果】
【００１０】
上述の如き構成からなる本発明では、製造労力を軽減させることができ、動物が頭部を頭部用穴から引っ込めてしまうのを防止することができ、しかも動物の収容容易性を向上させることが可能となる。
【発明を実施するための最良の形態】
【００１１】
以下、本発明を実施するための最良の形態として、動物を収容して洗浄を行うための動物洗浄装置について、図面を参照しながら詳細に説明する。
【００１２】
図１は、本発明を適用した動物洗浄装置１の側面図であり、図２はこの動物洗浄装置１の正面図である。
【００１３】
本発明を適用した動物洗浄装置１は、例えば図１に示すように、内壁１１と外壁１２を円弧状に湾曲させた略ドーム型で底面が開口されてなる洗浄容器２を備えている。ちなみに、この内壁１１と外壁１２を円弧状に湾曲させることは必須とならず、いかなる形状で構成されていてもよい。
【００１４】
洗浄容器２における内壁１１には洗浄水を噴出させるための噴出孔１３が多数形成されてなるとともに、洗浄容器２の前面には動物の頭部を外部に露出させるための頭部用穴１４が開口されている。洗浄容器２の両側面には外部から洗浄者が手を挿入するための挿入穴１５が開口されている。さらに洗浄容器２の後方から前方にかけて互いに間隔をおいてスペーサ用の長孔１６が形成されている。
【００１５】
洗浄容器２は、プラスチック製で構成されてなり、容器内の状況を外部から視認できるように透明で構成されていることが望ましい。
【００１６】
図３は、この洗浄容器２の底面図を示している。この図３に示すように、洗浄容器２は、底面が開口されており、リップ部３１が縁部分に形成されている。
【００１７】
内壁１１と外壁１２との間には間隙が形成されてなり、この間隙には給水管１８を介して供給されてきた洗浄水が送り込まれてくる。この間隙に送り込まれた洗浄水はこの略ドーム状に湾曲された内壁１１と外壁１２の間隙全体に亘り拡散していき、その後、内壁１１に形成された噴出孔１３から噴出されていくことになる。ちなみに、この噴出孔１３をノズル状に構成することにより、内部への噴射力を向上させることができる。ちなみに、この噴出孔１３は、内壁１１全面に亘って形成されていてもよいし、いかなる任意の箇所において選択的に形成されていてもよい。また、この噴出孔１３の形成密度もいかなる値で形成されていてもよい。
【００１８】
頭部用穴１４は、洗浄すべき動物の頭部に合わせた任意のサイズで構成されている。
【００１９】
また、挿入穴１５は、洗浄者が手を挿入して動物を洗浄できる程度のサイズで構成されている。
【００２０】
さらにスペーサ用の長孔１６は、板状のスペーサを挿入できる程度のサイズで構成されている。洗浄者は、スペーサ用の何れかの長孔１６ａ〜１６ｄに対して板状のスペーサを挿入する。このとき洗浄すべき動物の大きさに応じた何れかの長孔１６ａ〜１６ｄ位置に対してスペーサを挿入する。その結果、頭部用穴１４から頭部を露出させた動物が後退するのを防止することができる。
【００２１】
なお、この頭部用穴１４に動物の頭部を露出させる理由としては、動物の頭部に洗浄水をかけないようにするためであるが、洗浄時において動物が交替して、頭部を頭部用穴１４から引っ込めてしまう場合もある。かかる場合においても、洗浄すべき動物の大きさに応じた何れかの長孔１６ａ〜１６ｄ位置にスペーサを挿入しておくことにより、動物が後退するのを防止することができ、洗浄者の洗浄労力を軽減させることができ、ひいては、円滑な洗浄作業を行うことが可能となる。
【００２２】
また、図３に示すように、この洗浄容器２の底面は開口されていることから、洗浄すべき動物の上からこの洗浄容器２を被せる動作を行うのみで、動物を洗浄容器２内に収容することができる。このため、この動物の収容に要する洗浄者の労力を軽減させることが可能となる。
【００２３】
また、洗浄時においては、噴出孔１３から洗浄水を動物に向けて噴射させるとともに、洗浄者は挿入孔１５から両手を入れて動物を洗浄していくことも可能となる。洗浄の過程において動物が身震いをすることがあるが、動物自身を洗浄容器２で覆っているため、水や動物の毛が四方八方に飛び散るのを防止することができる。仮に浴室内において動物を洗浄する場合においても、浴室内がこれに伴って汚れてしまうのを防止することができる。
【００２４】
さらに、本発明を適用した動物洗浄装置１においては、基本構成は、円弧状に湾曲させた内壁１１と外壁１２を所定の間隔をもって貼り合わせるのみで構成することができることから、製造労力、コストを大幅に軽減させることができる。
【００２５】
図４は、本発明を適用した他の例としての動物用洗浄装置を示している。この動物用洗浄装置５０は、洗浄容器２における底面に装着自在の床体４１をさらに備えている。床体４１は、水を透過させるための図示しない小孔が多数に亘り形成されてなる。その結果、洗浄容器２内において噴射させた洗浄水をこの床体４１を介して排水することができる。洗浄水を全て排水させた後、残存した動物の毛が床体４１表面において蓄積していることになる。これら動物の毛は、床体４１表面が乾いた後に、容易にかき集めて処分することが可能となる。
【００２６】
また、この図４に示す動物用洗浄装置５０において動物を収容する場合には、最初に床体４１の表面に動物を載せ、その後上から洗浄容器２を被せ、洗浄容器２における底面と床体４１を装着していくことになる。
【００２７】
図５は、この洗浄容器２における底面と床体４１との装着機構の拡大構成を示している。例えば床体４１を弾性部材で構成するとともに、洗浄容器２の床面において突出部４２を設けておく。そして、この突出部４２に床体４１を引っ掛けることにより装着するようにしてもよい。
【００２８】
図６は、頭部用穴１４を洗浄容器２の底面の開口部へ連結させた構成を示している。洗浄容器２を動物に被せる際において、底面の開口部から連結された頭部用穴１４に動物の首を通していくことにより、頭部用穴１４から動物の頭部を容易に露出させることが可能となる。このとき、頭部用穴１４へ頭部を露出させた動物が身震いするのを防止するための機構として、この頭部用穴１４について、洗浄すべき動物の首のサイズに応じた曲率並びに内径を有するように構成してもよい。特に犬は、首を抑え付けることにより身震いそのものが抑制される特性を持っている。この犬の特性に着目して、身震い自体を抑制できるような頭部用穴１４とすることで、周囲に水や動物の毛が飛び散るのを防止することができる。また、この頭部用穴１４の曲率並びに内径を動物の首を遊嵌可能なサイズで構成することにより、動物の頭を頭部用穴１４から抜けにくくすることもできる。かかる場合において、長孔１６ａ〜１６ｄの構成を省略するようにしてもよいことは勿論である。
【図面の簡単な説明】
【００２９】
【図１】本発明を適用した動物洗浄装置の側面図である。
【図２】本発明を適用した動物洗浄装置の正面図である。
【図３】本発明を適用した動物洗浄装置の底面図である。
【図４】本発明を適用した動物用洗浄装置の他の例を示す図である。
【図５】洗浄容器における底面と床体との装着機構の拡大構成を示す図である。
【図６】頭部用穴を洗浄容器の底面の開口部へ連結させた構成を示す図である。
【符号の説明】
【００３０】
１  動物洗浄装置
２  洗浄容器
１１  内壁
１２  外壁
１３  噴出孔
１４  頭部用穴
１５  挿入穴
１６  長孔
３１  リップ部
【図１】
2007319018.tif 000003
【図２】
2007319018.tif 000004
【図３】
2007319018.tif 000005
【図４】
2007319018.tif 000006
【図５】
2007319018.tif 000007
【図６】
2007319018.tif 000008